(57)【要約】【課題】ブラシによる掃除時間の短縮化を図ることができるエアフィルタ掃除装置及び電子機器を提供する。【解決手段】電子機器であるプロジェクタが備えるエアフィルタ装置４は、掃除される部位である掃除領域４２ａを有するエアフィルタ４２と、エアフィルタ４２に対して移動することにより掃除領域４２ａを掃除するブラシ５５とを備えている。掃除領域４２ａは、互いに直交する前後方向及び左右方向において寸法が異なり、互いに直交する２方向のうち掃除領域４２ａの寸法が長い方向である前後方向に沿って、ブラシ５５が延びて設けられている。【選択図】図４
2011255297.tif 000002
【特許請求の範囲】
【請求項１】
掃除される部位である掃除領域を有するエアフィルタと、このエアフィルタに対して移動することにより前記掃除領域を掃除するブラシとを備えるエアフィルタ掃除装置であって、
前記掃除領域は、互いに直交する２方向において寸法が異なり、
互いに直交する２方向のうち前記掃除領域の寸法が長い方向である長手方向に沿って、前記ブラシが延びて設けられていることを特徴とするエアフィルタ掃除装置。
【請求項２】
掃除される部位である掃除領域を有するエアフィルタと、このエアフィルタに対して移動することにより前記掃除領域を掃除するブラシとを備えるエアフィルタ掃除装置であって、
前記掃除領域は、互いに直交する２方向において寸法が異なり、
互いに直交する２方向のうち前記掃除領域の寸法が短い方向である短手方向に沿って、前記ブラシが移動することを特徴とするエアフィルタ掃除装置。
【請求項３】
請求項１または２に記載のエアフィルタ掃除装置を備えることを特徴とする電子機器。
【請求項４】
前記エアフィルタ掃除装置が着脱可能に構成されていることを特徴とする請求項３に記載の電子機器。
【請求項５】
開口である吸気口が設けられた筐体を備え、
前記吸気口は、互いに直交する２方向において寸法が異なり、前記掃除領域が前記吸気口に対向して設けられ、
前記吸気口の長手方向に沿って、前記掃除領域の長手方向が設けられるとともに、前記吸気口の短手方向に沿って、前記掃除領域の短手方向が設けられる
ことを特徴とする請求項３または４に記載の電子機器。
【発明の詳細な説明】
【技術分野】
【０００１】
本願発明は、ブラシを用いてエアフィルタを掃除するエアフィルタ掃除装置、及びこれを備えた電子機器に関する。
【背景技術】
【０００２】
一般的に、電子機器であるプロジェクタの筐体に空冷用の吸気口を設けるとともに、筐体の内部へ流入しようとする空気中の塵埃を捕捉するエアフィルタを吸気口に設けることが知られている。
【０００３】
また、ブラシを所定の直線方向に往復移動させてエアフィルタを掃除するエアフィルタ掃除装置を内蔵する電子機器として、投写型映像表示装置であるプロジェクタが開示されている（例えば、特許文献１参照）。
【先行技術文献】
【特許文献】
【０００４】
【特許文献１】特開２００７−１５６１８６号公報
【発明の概要】
【発明が解決しようとする課題】
【０００５】
ところで、エアフィルタを掃除するためにブラシを移動させるときには、例えば、エアフィルタとブラシとが接触しあったり、ブラシを移動させるモータが駆動したりすることに起因して音が発生する。このような音は映像等の視聴の妨げとなり得るため、ブラシによる掃除時間の短縮化が求められている。
【０００６】
本発明は、こうした実情に鑑みてなされたものであり、その目的は、ブラシによる掃除時間の短縮化を図ることができるエアフィルタ掃除装置及び電子機器を提供することにある。
【課題を解決するための手段】
【０００７】
以下、上記目的を達成するための手段及びその作用効果について記載する。
請求項１に記載の発明は、掃除される部位である掃除領域を有するエアフィルタと、エアフィルタに対して移動することにより掃除領域を掃除するブラシとを備えるエアフィルタ掃除装置であって、掃除領域は、互いに直交する２方向において寸法が異なり、互いに直交する２方向のうち掃除領域の寸法が長い方向である長手方向に沿って、ブラシが延びて設けられていることを特徴とする。
【０００８】
上記構成によれば、互いに直交する２方向のうち掃除領域の寸法が長い方向である長手方向に沿って、ブラシが延びて設けられているため、掃除領域の長手方向に垂直な方向にブラシを移動させて掃除領域の全域を掃除することができる。仮に、互いに直交する２方向のうち掃除領域の寸法が短い方向である短手方向に沿って、ブラシが延びて設けられているときには、掃除領域の短手方向に垂直な方向にブラシを移動させて掃除領域の全域が掃除される。互いに直交する２方向において、長手方向に垂直な方向は短手方向であって、短手方向に垂直な方向は長手方向である。よって、掃除領域の長手方向に垂直な方向にブラシを移動させるときは、掃除領域の短手方向に垂直な方向にブラシを移動させるときに比べて、掃除領域の全域を掃除するためのブラシの移動量は小さい。従って、互いに直交する２方向のうち掃除領域の寸法が長い方向である長手方向に沿って、ブラシが延びて設けられていることにより、ブラシによる掃除時間の短縮化を図ることができる。
【０００９】
請求項２に記載の発明は、掃除される部位である掃除領域を有するエアフィルタと、エアフィルタに対して移動することにより掃除領域を掃除するブラシとを備えるエアフィルタ掃除装置であって、掃除領域は、互いに直交する２方向において寸法が異なり、互いに直交する２方向のうち掃除領域の寸法が短い方向である短手方向に沿って、ブラシが移動することを特徴とする。
【００１０】
上記構成によれば、互いに直交する２方向のうち掃除領域の寸法が短い方向である短手方向に沿って、ブラシが移動する。このため、掃除領域を横断するようにブラシを移動させるときは、互いに直交する２方向のうち掃除領域の寸法が長い方向である長手方向に沿って、ブラシが移動する場合に比べて、掃除領域を横断するまでの時間の短縮化を図ることができ、ブラシによる掃除時間の短縮化を図ることができる。
【００１１】
請求項３に記載の発明は、請求項１または２に記載のエアフィルタ掃除装置を備えることを特徴とする。
上記構成によれば、請求項１または２に記載のエアフィルタ掃除装置を備えるため、上記発明と同様の作用効果を得ることができる。
【００１２】
請求項４に記載の発明は、請求項３に記載の電子機器であって、エアフィルタ掃除装置が着脱可能に構成されていることを特徴とする。
上記構成によれば、エアフィルタ掃除装置が着脱可能に構成されているため、電子機器に装着されているエアフィルタ掃除装置を取り外すことにより、エアフィルタ掃除装置を容易にメンテナンスすることができる。
【００１３】
請求項５に記載の発明は、請求項３または４に記載の電子機器であって、開口である吸気口が設けられた筐体を備え、吸気口は、互いに直交する２方向において寸法が異なり、掃除領域が吸気口に対向して設けられ、吸気口の長手方向に沿って、掃除領域の長手方向が設けられるとともに、吸気口の短手方向に沿って、掃除領域の短手方向が設けられることを特徴とする。
【００１４】
上記構成によれば、吸気口の長手方向に沿って、掃除領域の長手方向が設けられるとともに、吸気口の短手方向に沿って、掃除領域の短手方向が設けられる。このようにして互いに直交する２方向において寸法が異なる吸気口に、エアフィルタの掃除領域を対向させて設けることにより、エアフィルタの掃除領域を、過不足ないように吸気口に対向させることが可能となる。
【発明の効果】
【００１５】
本発明によれば、ブラシによる掃除時間の短縮化を図ることができる。
【図面の簡単な説明】
【００１６】
【図１】本発明の一実施形態に係る電子機器である投写型映像表示装置を示す斜視図。
【図２】同実施形態に係る投写型映像表示装置の概略構成図。
【図３】同実施形態に係る投写型映像表示装置が備えるエアフィルタ掃除装置を示す斜視図。
【図４】同実施形態に係るエアフィルタ掃除装置の概略構成図。
【図５】同実施形態に係る投写型映像表示装置の下面図。
【図６】ブラシによる掃除時間の短縮化を説明するための模式図であって、（ａ）は実施例を示す図、（ｂ）は比較例を示す図。
【発明を実施するための形態】
【００１７】
以下、本発明を具体化した一実施形態について図面を参照しながら説明する。
図１に示すように、電子機器であるプロジェクタ１は、電子部品や光学部品を内蔵する筐体１０を備えている。プロジェクタ１は、スクリーンや壁等の平面上に映像を投写して表示する投写型映像表示装置である。以下、プロジェクタ１が映像の光を投射する方向を前後方向における前方とする。また、プロジェクタ１を水平面（図示略）に設置したときに、水平面に平行な方向であって前後方向に直交する方向を左右方向とする。なお、これらの前後方向及び左右方向は、図中の矢印を用いて示す方向である。
【００１８】
筐体１０は、プロジェクタ１を水平面に設置したときに、その水平面と対向する底面１１を有している。底面１１には、筐体１０内を空冷するための吸気口１２が設けられている。吸気口１２は、底面１１に対して垂直な方向から見て長方形状に形成されている。即ち、吸気口１２は、互いに直交する２方向（前後方向及び左右方向）において異なる寸法を有している。なお、吸気口１２には、空気中の塵埃よりも大きな異物が筐体１０内に侵入することを抑制するために、格子（不図示）が設けられていることが好ましい。
【００１９】
図２に示すように、プロジェクタ１は、映像を表示するための光学部品として、映像表示用の光源であるランプ２１と、ランプ２１が発した光を用いて映像を生成する映像生成部２２と、生成された映像の光を投射する投射レンズ２３とを備えている。
【００２０】
超高圧水銀ランプやメタルハライドランプ等の放電ランプにより構成されるランプ２１は、プロジェクタ１が備えるランプ電源部３１からの電力供給に基づいて光を発する。ランプ２１が発する光は、映像生成部２２に入射する。
【００２１】
映像生成部２２は、例えば、ドットマトリクス型のライトバルブである液晶パネルや、微小鏡を格子状に配列したＤＭＤ（Digital Micromirror Device）を備えた電気光学装置により構成されている。映像生成部２２には映像信号が入力され、この映像信号に基づいて液晶パネルやＤＭＤが駆動される。そして、ランプ２１から映像生成部２２に入射した光が、液晶パネルを透過したり、ＤＭＤで反射されたりすることによって、映像信号に基づいた映像が生成される。
【００２２】
投射レンズ２３は、映像生成部２２により生成された映像の光を投射するレンズ群を備えたレンズ装置である。従って、映像の光が投射レンズ２３からプロジェクタ１の外部に向けて投射されることにより、プロジェクタ１はスクリーンや壁等の平面上に映像を表示する。
【００２３】
また、プロジェクタ１は、電気信号である映像信号に基づいて映像を生成するための構成として、プロジェクタ１の外部から映像信号が入力される映像信号入力部２４と、映像信号に対して信号処理を施す映像信号処理部２５とを備えている。
【００２４】
プロジェクタ１には、映像ケーブル（不図示）が接続される映像信号入力端子により構成された映像信号入力部２４を介して、ＰＣ（Personal Computer）や映像再生装置等の外部機器から映像信号が入力される。そして、プロジェクタ１に入力された映像信号に対して、映像信号処理部２５でスケーリング処理等の信号処理が施されて、信号処理が施された映像信号が、映像生成部２２に入力される。なお、映像信号入力部２４が、無線により送信された映像信号を受信する無線モジュールであってもよい。
【００２５】
また、プロジェクタ１は、筐体１０の外部から吸気口１２を通して筐体１０内に空気を吸入する吸気ファン２６と、筐体１０内へ流入しようとする空気中の塵埃を捕捉するエアフィルタ４２を備えたエアフィルタ装置４と、エアフィルタ４２の目詰まりを検出する目詰まり検出部２７とを備えている。
【００２６】
吸気ファン２６は、ランプ２１、映像生成部２２、ランプ電源部３１等の高温となる部品を冷却するための空気を、吸気口１２及びエアフィルタ４２を通して筐体１０内に吸入するとともに、筐体１０内に吸入した空気を高温となるランプ２１等に送風する送風機である。
【００２７】
エアフィルタ装置４は、本実施形態においてはプロジェクタ１の本体に対して着脱可能に構成されているエアフィルタユニットである。筐体１０の底面１１側に取り付けられたエアフィルタ装置４は、プロジェクタ１の前方から引き出されることによって、プロジェクタ１から取り外すことができるように構成されている。
【００２８】
図３は、図１に示す状態のプロジェクタ１からエアフィルタ装置４を前方にスライドさせた状態を示す図であって、筐体１０の外部に向けて設けられる側を図示したエアフィルタ装置４の斜視図である。また、図４は、エアフィルタ装置４を外方から見た場合の平面図であって、エアフィルタ装置４の概略構成を示す模式図である。以下、筐体１０の内部へ向かう方向を内方とするとともに、この内方と反対側の方向であって筐体１０の外部へ向かう方向を外方とする。
【００２９】
図３及び図４に示すように、エアフィルタ装置４は、樹脂材料からなる基材４１を備えている。基材４１には、吸気口と同様に長方形状の開口が形成されるとともに、この開口を覆うようにエアフィルタ４２が基材４１に設けられている。
【００３０】
塵埃を捕捉するエアフィルタ４２は、格子状に形成された枠部材４２Ａに接着または融着されて設けられている。枠部材４２Ａが基材４１にねじ止めされることによって、エアフィルタ４２が基材４１に設けられている。
【００３１】
１つの枠部材４２Ａに設けられたエアフィルタ４２は、１つの掃除領域４２ａを有している。掃除領域４２ａは、エアフィルタ４２に生じる目詰まりを抑制するために掃除される部位であって、エアフィルタ４２の外方側の面を含む領域である。掃除領域４２ａは、吸気口１２と同様に、互いに直交する２方向（前後方向及び左右方向）において異なる寸法を有している。
【００３２】
また、基材４１には、直線状に形成されるとともに外方に向けられた歯を有するギアとして、一対のラック４３がねじ止めにより固定されて設けられている。一対のラック４３は、エアフィルタ４２を挟む位置に設けられている。具体的には、ラック４３は、エアフィルタ４２の前方及び後方において、左右方向に延びるように設けられている。
【００３３】
また、基材４１の前側端部には、エアフィルタ装置４がプロジェクタ１に取り付けられたときに、プロジェクタ１が備えるコネクタ（図示略）と接続されるコネクタ４４が設けられている。このコネクタ４４が、プロジェクタ１のコネクタと接続されることにより、プロジェクタ１からエアフィルタ装置４が備えるモータ５２（図４参照）に電力が供給可能となる。
【００３４】
また、エアフィルタ装置４は、エアフィルタ４２を掃除する掃除ユニット５を備えている。即ち、エアフィルタ装置４は、エアフィルタ４２と掃除ユニット５とを備えるエアフィルタ掃除装置である。略直方体状の掃除ユニット５は、エアフィルタ４２を掃除しない待機状態においては、外方及び内方から見てエアフィルタ４２と重ならない位置に配置されている。
【００３５】
図４に示すように、掃除ユニット５は、前後方向に長い形状を有するケース５１と、駆動部であるモータ５２と、モータ５２により駆動させられる駆動軸５３と、ラック４３と噛み合いながら駆動軸５３とともに回転するギア５４と、駆動軸５３の回転が伝達されるブラシ５５と、塵埃を溜めるダストボックス５６とを備えている。
【００３６】
ケース５１は、モータ５２と駆動軸５３とブラシ５５とを収容している。ケース５１内に収容されたモータ５２と駆動軸５３とブラシ５５とは、ケース５１に取り付けられたダストボックス５６の一部及びカバー５７（図３参照）により覆われている。
【００３７】
電動機であるモータ５２は、ブラシ５５を回転させるとともに、ケース５１とともにブラシ５５を所定の直線方向である左右方向に移動させるための駆動部である。モータ５２は、駆動軸５３を回転させて、駆動軸５３を介してギア５４及びブラシ５５に回転力を伝達させる。
【００３８】
駆動軸５３は、前後方向において延びて設けられている軸体であって、ケース５１により回転可能に支持されている。前後方向における駆動軸５３の両端部にはギア５４が固定されて設けられている。
【００３９】
ケース５１外に設けられたギア５４は、それぞれ、ラック４３に噛み合っている。従って、駆動軸５３が回転することにより、左右方向にブラシ５５を含むケース５１が移動して、エアフィルタ４２に対してブラシ５５が移動する。駆動軸５３の回転方向を変化させることにより、左右方向においてブラシ５５は往復移動する。
【００４０】
ブラシ５５は、軸体である軸部材５５ａと、軸部材５５ａの外周に設けられた繊維５５ｂとにより構成されている。ブラシ５５の前後方向における両端部において、軸部材５５ａがケース５１に支持されることによって、ブラシ５５はケース５１により回転可能に支持されている。ブラシ５５の繊維５５ｂは、エアフィルタ４２に対してブラシ５５が移動するときに、エアフィルタ４２の掃除領域４２ａに当接するように設けられている。ブラシ５５がエアフィルタ４２と当接しながら移動することにより、エアフィルタ４２の掃除領域４２ａが掃除される。さらに、ブラシ５５が回転することにより、繊維５５ｂに付着した埃がダストボックス５６に運搬されて、ダストボックス５６内に塵埃が溜められる。
【００４１】
基材４１には、エアフィルタ装置４における掃除ユニット５の位置を検出するセンサにより構成された位置検出部４５ａ，４５ｂが設けられている。位置検出部４５ａは、上記待機状態における掃除ユニット５の待機位置に設けられ、位置検出部４５ｂは、所定の直線方向である左右方向において往復移動する掃除ユニット５が折り返す位置に設けられている。位置検出部４５ａ，４５ｂはコネクタ４４に接続され、ブラシ５５を含む掃除ユニット５の位置を示す信号をコネクタ４４から出力することができるように構成されている。
【００４２】
以上のように、エアフィルタ装置４は、掃除される部位である掃除領域４２ａを有するエアフィルタ４２と、エアフィルタ４２に対して移動することにより掃除領域４２ａを掃除するブラシ５５とを備えている。このようなエアフィルタ装置４がプロジェクタ１に取り付けられることにより、吸気口１２がエアフィルタ４２に対向して設けられる。
【００４３】
目詰まり検出部２７は、エアフィルタ４２に目詰まりが生じたことを検出するセンサである。例えば、目詰まり検出部２７は、エアフィルタ４２に目詰まりが生じたときにエアフィルタ４２を通過する空気の風量が変化するため、エアフィルタ４２を通過した空気の風量を検出する風量センサにより構成されている。
【００４４】
また、プロジェクタ１は、ランプ２１用の電源回路を備えるランプ電源部３１と、モータ５２用の駆動回路を備えるモータ駆動部３２と、各部へ電力を供給する電源部３３と、各部を制御する制御部３４と、情報を記憶する記憶部３５と、ユーザにより操作される操作部３６とを備えている。
【００４５】
ランプ電源部３１は、ランプ２１を点灯させるための回路を備えた点灯装置により構成されている。具体的には、ランプ電源部３１は、負荷である放電ランプのインピーダンス（即ち、負荷インピーダンス）が変化した場合であっても安定した電力を供給するためのランプバラスト回路（図示略）、放電ランプの電極間の絶縁破壊を発生させるためのイグナイタ回路（図示略）等を備えている。ランプ電源部３１は、制御部３４から入力される制御信号に基づき、電源部３３からランプ電源部３１に供給された電力を、ランプ２１の点灯に必要な電力に変換してランプ２１に供給する。
【００４６】
モータ駆動部３２は、エアフィルタ４２を掃除するときに掃除ユニット５のモータ５２を駆動するモータドライバにより構成されている。モータ駆動部３２は、制御部３４から入力される制御信号に基づき、電源部３３からモータ駆動部３２に供給された電力を適宜変換してモータ５２に電力を供給する。具体的には、モータ５２を駆動させる制御信号として掃除ユニット５を左方に移動させる制御信号が制御部３４から入力された場合には、駆動軸５３を所定方向に回転させる電力をモータ５２に供給する。そして、モータ５２を駆動させる制御信号として掃除ユニット５を右方に移動させる制御信号が制御部３４から入力された場合には、駆動軸５３を上記所定方向と反対の方向に回転させる電力をモータ５２に供給する。また、掃除ユニット５を停止させる制御信号が制御部３４からモータ駆動部３２に入力された場合には、モータ駆動部３２はモータ５２への電力の供給を停止する。
【００４７】
電源部３３は、外部電源（図示略）からプロジェクタ１に入力された電力を適宜変換して、プロジェクタ１内の電気回路に電力を供給する電源ユニットにより構成されている。具体的には、電源部３３は、外部電源から得た交流電力を直流電力に変換して、ランプ電源部３１、モータ駆動部３２、制御部３４、映像信号処理部２５、映像生成部２２等に直流電力を供給する。
【００４８】
制御部３４は、映像信号処理部２５の制御、吸気ファン２６の制御、ランプ電源部３１の制御、モータ駆動部３２の制御等を行う集積回路により構成されている。制御部３４は、映像を表示するためにランプ２１を点灯させる制御信号をランプ電源部３１に出力する。また、制御部３４は、ランプ２１を冷却するために吸気ファン２６を駆動させる制御信号を吸気ファン２６に出力する。
【００４９】
さらに、制御部３４は、エアフィルタ４２を掃除するために掃除ユニット５のモータ５２を駆動させる制御信号をモータ駆動部３２に出力する。モータ駆動部３２へ制御信号を出力するタイミングは、エアフィルタ４２に目詰まりが生じていると判断されたときや、エアフィルタ４２を掃除することがユーザによって制御部３４に指示されたときである。
【００５０】
エアフィルタ４２に目詰まりが生じていると判断されたときや、エアフィルタ４２を掃除することがユーザによって制御部３４に指示されたときには、制御部３４は、モータ５２を駆動させる制御信号として、掃除ユニット５を左方に移動させる制御信号をモータ駆動部３２に出力する。そして、コネクタ４４を介して位置検出部４５ｂから掃除ユニット５が左側端部に位置したことを示す信号が制御部３４に入力されたときに、制御部３４は、モータ５２を駆動させる制御信号として、掃除ユニット５を右方に移動させる制御信号をモータ駆動部３２に出力する。さらに、掃除ユニット５が右方に移動して待機位置に達すると、コネクタ４４を介して位置検出部４５ａから掃除ユニット５が右側端部に位置したことを示す信号が制御部３４に入力される。このとき、制御部３４は、モータ５２を停止させる制御信号（即ち、掃除ユニット５を停止させる制御信号）をモータ駆動部３２に出力する。
【００５１】
記憶部３５は、制御部３４が実行するプログラム等の情報を記憶するメモリにより構成されている。記憶部３５に記憶されている情報には、エアフィルタ４２に目詰まりが生じているかを判断するための情報が含まれ、制御部３４は、この情報と目詰まり検出部２７による検出結果とに基づいて、エアフィルタ４２に目詰まりが生じているか否かを判断することができる。
【００５２】
操作部３６は、プロジェクタ１のユーザによって操作されるキー等のユーザインタフェースにより構成されている。この操作部３６が操作されることによって、映像を表示することや、エアフィルタ４２を掃除することがユーザによって制御部３４に指示される。
【００５３】
ここで、本実施形態においては、図４等に示すように、互いに直交する２方向（前後方向及び左右方向）のうちエアフィルタ４２の掃除領域４２ａの寸法が長い方向である前後方向に沿って、ブラシ５５が延びて設けられていることに特徴がある。
【００５４】
図５は、底面１１に対して垂直な方向からプロジェクタ１を見た状態を示す図であって、エアフィルタ装置４がプロジェクタ１に取り付けられた状態を示している。
図５に示すように、吸気口１２と対向して設けられるエアフィルタ４２は、吸気口１２の形状と対応させて設けられている。即ち、吸気口１２の長手方向（吸気口１２の寸法が長い方向）に沿って、エアフィルタ４２の掃除領域４２ａの長手方向（掃除領域４２ａの寸法が長い方向）が設けられている。そして、吸気口１２の短手方向（吸気口１２の寸法が短い方向）に沿って、エアフィルタ４２の掃除領域４２ａの短手方向（掃除領域４２ａの寸法が短い方向）が設けられる。本実施形態においては、吸気口１２及び掃除領域４２ａの長手方向は前後方向であって、吸気口１２及び掃除領域４２ａの短手方向は左右方向である。従って、上記の長手方向と短手方向は互いに直交する方向である。
【００５５】
掃除ユニット５は、ブラシ５５の軸部材５５ａが掃除領域４２ａの長手方向である前後方向に平行となるように配置されている。ブラシ５５がエアフィルタ４２の掃除領域４２ａを掃除するときには、掃除ユニット５が左右方向に移動することによって、軸部材５５ａが前後方向に平行な状態を維持しながら、ブラシ５５が前後方向に直交する左右方向に移動する。このようにブラシ５５が移動すれば、ブラシ５５が前後方向に移動する場合に比べて、掃除領域４２ａを横断するまでの時間の短縮化を図ることができる。
【００５６】
図６（ａ）は、掃除領域４２ａの長手方向に沿ってブラシ５５が延びて設けられた本実施形態を模式的に示した実施例の図である。また、図６（ｂ）は、ブラシ５５が掃除領域４２ａの短手方向に沿って延びて設けられた場合を示す比較例の図である。
【００５７】
図６（ａ）に示すようにブラシ５５が配置されている場合には、掃除領域４２ａの短手方向にブラシ５５を移動させることにより、エアフィルタ４２の掃除領域４２ａの全域を掃除することができる。これに対して、図６（ｂ）に示すようにブラシ５５が配置されている場合には、掃除領域４２ａの長手方向にブラシ５５を移動させることにより、エアフィルタ４２の掃除領域４２ａの全域が掃除される。
【００５８】
以上のようにして掃除領域４２ａの全域が掃除されるときには、ブラシ５５は掃除領域４２ａを横断する。ブラシ５５が掃除領域４２ａの短手方向に移動して掃除領域４２ａを横断する場合は、ブラシ５５が掃除領域４２ａの長手方向に移動して掃除領域４２ａを横断する場合に比べて、ブラシ５５の移動量は小さく、ブラシ５５の移動速度が同じであれば、掃除領域４２ａの短手方向に移動するブラシ５５は掃除領域４２ａを速やかに横断する。従って、エアフィルタ４２に対してブラシ５５が移動することによって行われるエアフィルタ４２の掃除に要する時間（即ち、ブラシ５５による掃除時間）の短縮化を図ることができる。
【００５９】
本実施形態によれば、以下の効果を得ることができる。
（１）掃除領域４２ａは、互いに直交する２方向（前後方向及び左右方向）において寸法が異なり、互いに直交する２方向のうち掃除領域４２ａの寸法が長い方向である前後方向に沿って、ブラシ５５が延びて設けられている。従って、掃除領域４２ａの寸法が短い方向である左右方向に沿ってブラシ５５が延びて設けられている場合に比べて、ブラシ５５による掃除時間の短縮化を図ることができる。その結果、ブラシ５５によるエアフィルタ４２の掃除に伴う音（例えばモータ５２の駆動音）の発生を抑制することができる。
【００６０】
換言すれば、互いに直交する２方向（前後方向及び左右方向）のうち掃除領域４２ａの寸法が短い方向である左右方向に沿って、ブラシ５５が移動する構成となっている。従って、掃除領域４２ａの寸法が長い方向である前後方向に沿ってブラシ５５が移動する場合に比べて、掃除領域４２ａを横断するまでの時間の短縮化を図ることができ、ブラシ５５による掃除時間の短縮化を図ることができる。
【００６１】
（２）電子機器であるプロジェクタ１は、上記構成を有するエアフィルタ装置４を備えている。従って、本実施形態のプロジェクタ１によれば、上記（１）に記載の効果を得ることができる。
【００６２】
（３）プロジェクタ１に対してエアフィルタ装置４が着脱可能に構成されている。このため、プロジェクタ１に装着されているエアフィルタ装置４を取り外すことにより、エアフィルタ装置４を容易にメンテナンスすることができる。
【００６３】
（４）プロジェクタ１は、開口である吸気口１２が設けられた筐体１０を備え、吸気口１２は、互いに直交する２方向において寸法が異なり、掃除領域４２ａが吸気口１２に対向して設けられ、吸気口１２の長手方向に沿って、掃除領域４２ａの長手方向が設けられるとともに、吸気口１２の短手方向に沿って、掃除領域４２ａの短手方向が設けられる。このようにして互いに直交する２方向において寸法が異なる吸気口１２に、エアフィルタ４２の掃除領域４２ａを対向させて設けることにより、エアフィルタ４２の掃除領域４２ａを、過不足ないように吸気口１２に対向させることが可能となる。
【００６４】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００６５】
・エアフィルタ装置４がプロジェクタ１に対して着脱可能に構成されていなくてもよい。即ち、プロジェクタ１が、エアフィルタ装置４の構成を内蔵するものであれば、上記（２）及び（４）に記載の効果を得ることができる。
【００６６】
・上記実施形態においては、ブラシ５５が掃除ユニット５のケース５１とともに移動してエアフィルタ４２を掃除する構成であるが、ブラシ５５がエアフィルタ４２に対して移動する構成であればよい。即ち、ブラシ５５を備える掃除ユニット５の構成は上記実施形態に限定されない。
【００６７】
・上記実施形態においては、ブラシ５５を含む掃除ユニット５が駆動されていたが、エアフィルタ４２が駆動されてもよい。即ち、エアフィルタ４２に対してブラシ５５が相対的に移動するのであれば、ブラシ５５及びエアフィルタ４２のうち少なくとも一方が駆動されればよい。
【００６８】
・上記実施形態においては、エアフィルタ４２が設けられた枠部材４２Ａは格子状に形成されていたが、格子状に形成されていなくてもよい。また、上述のごとく、吸気口１２に格子が設けられていてもよく、この場合には、吸気口１２に設けられた格子が筐体１０の一部により形成されていることが好ましい。
【００６９】
・上記実施形態においては、掃除領域４２ａの長手方向が前後方向であって掃除領域４２ａの短手方向は左右方向であったが、掃除領域の長手方向及び短手方向は、これらの前後方向及び左右方向に限定されない。即ち、掃除領域は互いに直交する２方向において寸法が異なっていればよい。従って、ブラシが延びる方向、及び吸気口の長手方向及び短手方向も、上記実施形態に限定されない。
【００７０】
・上記実施形態においては、電子機器は投写型映像表示装置であるプロジェクタ１であったが、その他の電子機器が上記構成を備えていてもよい。即ち、本発明は投写型映像表示装置に限定されるものではなく、テレビ受信機やオーディオ機器等のその他の電子機器についても本発明を適用することができる。
【符号の説明】
【００７１】
１…プロジェクタ（電子機器）、４…エアフィルタ装置（エアフィルタ掃除装置）、５…掃除ユニット、１０…筐体、１１…底面、１２…吸気口、２１…ランプ、２２…映像生成部、２３…投射レンズ、２４…映像信号入力部、２５…映像信号処理部、２６…吸気ファン、２７…目詰まり検出部、３１…ランプ電源部、３２…モータ駆動部、３３…電源部、３４…制御部、３５…記憶部、３６…操作部、４１…基材、４２…エアフィルタ、４２Ａ…枠部材、４２ａ…掃除領域、４３…ラック、４４…コネクタ、４５ａ，４５ｂ…位置検出部、５１…ケース、５２…モータ、５３…駆動軸、５４…ギア、５５…ブラシ、５５ａ…軸部材、５５ｂ…繊維、５６…ダストボックス。
【図１】
2011255297.tif 000003
【図２】
2011255297.tif 000004
【図３】
2011255297.tif 000005
【図４】
2011255297.tif 000006
【図５】
2011255297.tif 000007
【図６】
2011255297.tif 000008